(57)【特許請求の範囲】
【請求項１】
円錐面形成壁（２４）の中間部に該円錐面形成壁（２４）を大略横方向に引き裂くための引き裂き用タブ（１６）を有してなる円錐型包装用容器において、
円錐面形成壁（２４）は、円錐頂点（２６）側に位置するタブ（１６）の一端（３４）に連接し、かつ円錐面形成壁（２４）の円周方向にリング状に設けられた第１の破断線（１８）と、
第１の破断線（１８）に対して円錐頂点（２６）の反対側に設けられかつタブ（１６）の他端（３６）に連接する第２の破断線（２２）であって、タブ（１６）の引き裂き方向（Ａ）に第１の破断線（１８）から遠ざかるようにテーパ状に傾斜して設けられかつ容器内に収納される食品（１００）の円錐頂点の反対側に位置する円錐面の一端の近傍下方に終点（３８）を有する第２の破断線（２２）とを有することを特徴とする包装用容器。
【請求項２】
上記破断線（１８，２２）は、ミシン目やハーフカット等の断続的な切り込み（４４，８８）よりなることを特徴とする請求項１記載の包装用容器。
【請求項３】
上記各切り込み（４４，８８）は、引き裂き方向（Ａ）に延在する基線部（４６）と、該基線部（４６）の引き裂き始点（４８）に接続しかつ該基線部（４６）に対して引き裂き方向（Ａ）とは逆方向に鈍角（θ）に傾斜する補助線部（５０）とからなることを特徴とする請求項２記載の包装用容器。
【請求項４】
上記円錐面形成壁（２４）は、シート部材（６６，９０）から形成され、
該シート部材（６６，９０）は、紙層（５８，８４）と、該紙層（５８，８４）に積層されかつ上記破断線（１８，２２）に沿ってシート部材（６６，９０）の引き裂きを案内する引き裂き案内樹脂層（５２）とを備えた基層（６５）を有し、
上記破断線（１８，２２）は、基層（６５）を貫通するミシン目（４４，８８）から形成される断続的な切り込みよりなることを特徴とする請求項１記載の包装用容器。
【請求項５】
上記引き裂き案内樹脂層（５２）は、ポリエステル又はポリプロピレンから形成されたことを特徴とする請求項４記載の包装用容器。
【請求項６】
上記基層（６５）は、さらに、上記紙層（５８）と上記引き裂き案内樹脂層（５２）との間に印刷層（５４）を備え、
上記引き裂き案内樹脂層（５２）は、透明であることを特徴とする請求項４記載の包装用容器。
【請求項７】
上記シート部材（６６）は、さらに、上記基層（６５）の上記紙層（５８）側の全面に積層された密封層（６４）を備えたことを特徴とする請求項４記載の包装用容器。
【発明の詳細な説明】
【０００１】
【発明の属する技術分野】
本願発明は、アイスクリームやチョコレート菓子等の大略円錐形状の食品を包装するための円錐型包装用容器に関し、特に、食品の円錐形状の頂点側が下になるように容器の下半分を一方の手で保持した状態で、他方の手で容器の上半分を引き裂いて取り除き、食品の上半分を外部に露出させて食することができるようにした包装用容器に関する。
【０００２】
【従来の技術】
従来より、アイスクリームやチョコレート菓子等の大略円錐形状の食品（内容物）を包装する円錐型包装用容器であって、内容物の円錐形状の頂点側が下になるように容器の下半分を一方の手で保持した状態で、他方の手で容器の上半分を引き裂いて取り除き、内容物の上半分を外部に露出させて食することができるようにした円錐型包装用容器が種々提供されている。
【０００３】
たとえば、容器の円錐面形成壁に、容器の高さ方向略中央部に、該円錐面形成壁に一体的に形成された容器引き裂き用タブ（つまみ）を設けた円錐型包装用容器（実用新案登録第２５９７３２２号公報等参照）が提供されている。この容器は、内容物の頂点側が下になるように容器の下半分を一方の手で保持した状態で、他方の手でタブを円錐面形成壁（容器本体）に対して略水平方向（横方向）に引っ張ることにより円錐面形成壁を引き裂いて容器の上半分を取り除き、食品の上半分を外部に露出させて食することができるようになっている。
【０００４】
しかし、この包装用容器においては、容器の上半分を取り除くべくタブを容器本体に対して引っ張ったときに、たとえば、円錐面形成壁に対する引き裂き箇所（方向）がランダムになって内容物の上半分を食し易い状態に均一に露出させることができなかったり、或いは、タブの引っ張り時に該タブと一体的に引き裂かれてゆく円錐面形成壁の一部が途中で不用意に切断し、容器の上半分を下半分に対して分離することが困難になったりする等の問題がある。
【０００５】
この問題点を解決する円錐型包装用容器として、たとえば、円錐面形成壁の高さ方向略中央部に、円錐の頂点を通る中心軸を中心とする円周方向に１対のミシン目を互いに平行に形成し、該１対のミシン目を円錐面形成壁の引き裂き案内手段とする包装用容器（実開昭第５５−１５６０８６号公報等参照）が提供されている。この包装用容器では、容器の高さ方向略中央部に設けられたタブを容器本体に対して水平方向に引っ張ることにより、円錐面形成壁は、ミシン目に沿って引き裂かれてゆく。従って、容器の上半分が取り除かれたとき、食品の上半分は、その全周に亘って均一に外部に露出し、その食品を食する際に容器の下半分が邪魔になることはない。
【０００６】
しかし、この包装用容器では、上記の如く円錐面形成壁が引き裂かれたとき、容器の上半分の下端の径は、該上半分の容器内に位置している内容物（食品）の外径よりも小さいため、円錐面形成壁がその全周に亘って引き裂かれた状態においては、内容物に対して、上半分の容器を取り外すことはできない。つまり、このタイプの包装用容器において、内容物に対して上半分の容器を取り除く（取り外す）には、上記ミシン目に沿って円錐面形成壁を全周に亘って引き裂いた後に、さらに、該上半分の容器を適当な箇所で引き裂いたり破り取ったりする必要があり、大変煩わしく面倒である。
【０００７】
この問題点を解決する円錐型包装用容器として、たとえば、互いに平行な１対のミシン目を、円錐面形成壁の引き裂き案内手段として円錐の頂点に対して非同心円形状に形成し、つまり容器本体の水平方向（横方向）に対して斜め方向に形成し、かつ、各ミシン目を、ミシン目の上端（終点）がタブを基準位置として容器本体を大略半周した位置において該容器内側に収納されている円錐形状の食品の上端近傍の下方に位置するように、形成した円錐型包装用容器（実用新案登録第２５０６３９８号公報等参照）が提供されている。この包装用容器では、容器の高さ方向略中央部に設けられているタブを容器本体（つまり、円錐面形成壁）に対してミシン目沿いに大略斜め上方向に引っ張ると、先ず、円錐面形成壁は、予め形成されたミシン目に沿って容器本体に対して斜め上方向に徐々に引き裂かれてゆき、容器のコーナ部が引き裂かれてゆく。さらに、タブを斜め上方向に引っ張り上げると、タブが容器本体を略半周したところで円錐面形成壁の引き裂き箇所はミシン目の上端に達するが、この状態から、さらにタブを斜め上方向に引っ張り上げると、下方のミシン目を容器の上半分の下端として、該容器の上半分は、容器の下半分から強制的に引き裂かれる。つまり、この包装用容器では、タブを引き上げることにより、ワンタッチで、容器の上半分を食品が収納されている容器の下半分から引き裂くことができる。
【０００８】
しかし、この包装用容器では、ミシン目が容器本体の水平方向に対して斜め方向に形成されているため、タブを引っ張って容器の上半分を下半分から引き裂いたとき、円錐形状の内容物は,容器の下半分に対して、全周に亘って均一に露出されなかったり、容器の下半分の上端部（上縁部）が、部分的に、内容物の上端よりも上に延在する不定形片として残り、内容物が食しにくい状態となる。
【０００９】
なお、上記各包装用容器は、容器の引き裂き開始位置（タブの位置）が円錐面形成壁、つまり容器本体、の高さ方向略中央部に位置すると共に、その引き裂き方向が容器本体に対して大略水平方向又は斜め上方向であるタイプの包装用容器であるが、一方、このタイプとは異なり、容器の引き裂き開始位置（タブの位置）が容器の上端部に位置すると共に、その引き裂き方向が容器本体に対して斜め下方向であるタイプの包装用容器（実公昭第４９−４０７１６号公報等参照）が従来より提供されている。このタイプの包装用容器では、引き裂き案内手段としてのミシン目が、容器の上端部から、円錐の頂点方向に螺旋形状に形成されている。ここで、たとえば、円錐型包装用容器が大略扇形の１枚のブランクから形成される場合、円錐形状の食品を内側に収納／密封してなる製品は、先ず、ブランクを丸めて該ブランクの１対の扇形側面部に対応する部分を互いに接着する第１ステップと、次いで、大略円錐形状の食品（内容物）をこの半完成包装用容器内に収納する第２ステップと、次いで、食品の上端部に対応するブランクの部分を３方向若しくは４方向から放射状に寄せ合わせて互いに対向するブランクの内面同士を接着する第３ステップとを経て作ることができる。この第３ステップにおいて、上記の如く容器の上端部をなすブランクの部分を３方向若しくは４方向から放射状に絞った場合、該容器の上端部をなすシート部材には、食品の円錐面上端を支点として、相当の張力（テンション）が作用する。従って、引き裂き方向が容器本体の上端に対して斜め下方向である上記の如く包装用容器を、このように、扇形の１枚のブランクから形成する場合には、上記第３ステップにおいて、容器の上端部を形成するシート部材は、該上端部に設けられているミシン目で破断する虞がある。
【００１０】
【発明が解決しようとする課題】
従って、本願発明が解決すべき技術的課題は、引き裂き用タブを包装用容器の本体に対して引っ張るだけで、ワンタッチで、容器の上半分を下半分に対して引き裂くことができ、しかも、同時に、包装用容器内に収納されている大略円錐形状の食品を容器の下半分に対して全周に亘って均一に露出させることができる円錐型包装用容器を提供することである。
【００１１】
【課題を解決するための手段・作用・効果】
上記技術的課題を解決するために、本願発明によれば、以下の円錐型包装用容器が提供される。
【００１２】
すなわち、この円錐型包装用容器は、円錐面形成壁の中間部に該円錐面形成壁を大略横方向に引き裂くための引き裂き用タブを有してなる。この円錐面形成壁は、円錐頂点側に位置するタブの一端に連接し、かつ円錐面形成壁の円周方向にリング状に、つまり端部と端部がつながった円形状に、設けられた第１の破断線と、第１の破断線に対して円錐頂点の反対側に設けられかつタブの他端に連接する第２の破断線であって、タブの引き裂き方向に第１の破断線から遠ざかるようにテーパ状に傾斜して設けられかつ容器内に収納される食品の円錐頂点の反対側に位置する円錐面の一端の近傍下方に終点を有する第２の破断線とを有する。
【００１３】
この構成において、容器の上端部つまり円錐の頂点の反対側に位置する端部は、たとえば、大略平面部として形成されたり、大略半円形部として形成されたり、不定形部として形成されることができる。当該不定形部は、たとえば、円錐の頂点の反対側に位置する円錐面形成壁の自由端部に接続する上端部形成壁を３方向や４方向等の複数の方向から放射状に寄せ合わせて形成した不定形部として形成されることができる。
【００１４】
この包装用容器は、以下のようにして使用される。
【００１５】
先ず、一方の手で容器の円錐面形成壁の下半分、つまり円錐頂点側の円錐面形成壁の部分、を保持した状態で、他方の手で引き裂き用タブを円錐面形成壁に対して大略横円周方向に引っ張る。この操作により、円錐面形成壁は、タブの一端と他端とを始点とする第１，２の破断線に沿って同時に引き裂かれてゆくが、第２の破断線の終点は食品の円錐面上端、つまり食品の円錐頂点の反対側の円錐面の一端、の近傍下方に設けられているため、たとえば、円錐面形成壁が第２の破断線の終点を越えてさらに強制的に引き裂かれると、食品の円錐面上端の一部が外部に露出し始めて、包装用容器の上半分が食品の円錐面上端部から解放されるきっかけとなる。そして、この状態から、さらに、円錐面形成壁を引き裂いてゆくと、包装用容器の上半分の第２の破断線を含む開口径が食品の円錐面上端部の外径よりも大きくなって、包装用容器の上半分が食品の円錐面上端部に対して解放された状態になる。一方、これと同時に、円錐面形成壁は、第１の破断線に沿って円周方向に引き裂かれてゆき、当該引き裂きが円周を１周したときに、容器の上半分と下半分は、互いに完全に分離される。
【００１６】
上記構成によれば、第１の破断線は、包装用容器の上半分（大略平面部側の部分）と下半分（頂点側の部分）とを互いに分離する機能を有しており、一方、第２の破断線は、包装用容器の上半分を包装用容器内に収納されている食品の円錐面上端部から開放する機能を有している。また、第２の破断線の他端と終点とは異なった位置に設けられており、引き裂き用タブを包装用容器本体に対する円周方向に引っ張って円錐面形成壁を第１の破断線の全周沿いに引き裂いたとき、タブは包装用容器の上半分の一部として一体的に残る。従って、タブを大略横円周方向に引っ張る一回の動作で、ワンタッチで、包装用容器の上半分は、下半分から分離されると共に、食品の上半分から解放される。
【００１７】
また、上記構成によれば、第１の破断線は、タブの一端に連接し円錐面形成壁の円周方向にリング状に連続して設けられている。従って、タブを大略横円周方向に引っ張って円錐面形成壁を第１の破断線の全周沿いに引き裂くことにより、包装用容器内に収納されている大略円錐形状の食品は、容器の下半分に対して、その円錐面全周に亘って均一に露出せしめられる。
【００１８】
すなわち、引き裂き用タブを包装用容器の本体に対して引っ張るだけで、ワンタッチで、容器の上半分を下半分に対して引き裂くことができ、しかも、同時に、包装用容器内に収納されている大略円錐形状の食品を、容器の下半分に対して、全周に亘って均一に露出させることができる。
【００１９】
また、たとえば、包装用容器が、シート状部材からなる大略扇形の１枚のブランクから形成される場合であって、ブランクを丸めて該ブランクの１対の扇形側面部に対応する部分を互いに接着してなる半完成容器内に食品を収納した後に食品の上端部に対応する部分でブランクを３方向若しくは４方向から放射状に寄せ合わせて相互に対向する内面部分を互いに接着することにより形成される場合には、大略円錐形状の食品の円錐面上端に当接する部分を含む上記寄せ合わせ部分（上端部）には、食品の円錐面上端を支点として、相当の張力（テンション）が作用するが、上記構成によれば、第２の破断線の上記終点は食品の円錐面上端の近傍下方に対応する位置に設けられているため、つまり第２の破断線は上記張力が作用しにくい箇所に設けられているため、容器を形成するシート部材は、該第２の破断線に沿って不用意に引き裂かれることが効果的に防止される。
【００２０】
上記構成において、上記破断線は、ミシン目やハーフカット等の断続的な切り込みより形成することができる。
【００２１】
上記構成において、上記各切り込みは、引き裂き方向に延在する基線部と、該基線部の引き裂き始点に接続しかつ該基線部に対して引き裂き方向とは逆方向に鈍角に傾斜する補助線部とから形成されることが好ましい。
【００２２】
この構成によれば、円錐面形成壁の引き裂き時に、引き裂き方向に対して切り込みの特定の基線部の終点と次の基線部の始点との間において、基線部の終点から進行する裂け目の先端が次の基線部の始点から外れた場合でも、その裂け目の先端が次の切り込みの補助線部に達することにより、裂け目の進行方向は、該補助線部によって該補助線部に接続する基線部の始点方向に案内・補正される。従って、この構成により、円錐面形成壁は、第１，２の破断線に沿って、より忠実に引き裂かれる。
【００２３】
上記各構成において、上記円錐面形成壁はシート部材から形成され、該シート部材は、紙層と、該紙層に積層されかつ上記破断線に沿ってシート部材の引き裂きを案内する引き裂き案内樹脂層とを備えた基層を有し、上記破断線は、基層を貫通するミシン目から形成される断続的な切り込みより形成されることが好ましい。この構成において、紙層は、たとえば、包装用容器に保形性を付与する。
【００２４】
紙層は、一般に、引き裂き時に層内剥離を生じ易く、該層内剥離を生じた場合には、その引き裂き方向が、所定の引き裂き方向から逸れることになる。上記構成における引き裂き方向は、ミシン目が断続的に形成されている破断線の方向、つまり、基層を貫通するミシン目が形成されることによりシート部材の物理的強度が小さくなっている方向、であるが、該方向における基層の引き裂き（破断）時に、たとえば、紙層がミシン目とミシン目との間で上記層内剥離を生じて該紙層の引き裂き方向が破断線の方向から外れそうになったとしても、紙層は、ミシン目に沿って忠実に引き裂かれる引き裂き案内樹脂層に従動する結果、紙層の引き裂き方向は、破断線の方向に補正される。
【００２５】
すなわち、この構成により、円錐面形成壁は、破断線に沿ってより忠実に引き裂かれる。
【００２６】
上記引き裂き案内樹脂層は、たとえば、ポリエステル又はポリプロピレンから形成される。
【００２７】
上記シート部材の構成において、上記基層は、さらに、上記紙層と上記引き裂き案内樹脂層との間に、包装用容器に所望の絵柄を付与するための印刷層を備えることができる。この構成において、上記引き裂き案内樹脂層は、透明樹脂層から形成される。この構成において、引き裂き案内樹脂層は、包装用容器の外面側の層をなす。
【００２８】
上記シート部材の構成において、上記シート部材は、さらに、上記基層の上記紙層側の全面に積層された密封層を備えることが好ましい。
【００２９】
この構成によれば、基層を貫通するミシン目は、密閉層により密閉されることになり、容器内部は、容器外部からより確実に密閉される。
【００３０】
【発明の実施の形態】
以下に、本願発明の１実施形態を添付図面に従って詳細に説明する。
【００３１】
図１は、本実施形態に係る円錐型包装用容器であって、内側に円錐型アイスクリーム１００が収納されている円錐型包装用容器１０の斜視図である。この円錐型包装用容器１０は、円錐型アイスクリーム１００の円錐形状の頂点側が下になるように容器の下半分１２を一方の手で保持した状態で、他方の手で容器の上半分１４を引き裂いて取り除き、アイスクリーム１００の上半分を外部に露出させて食することができるようにしたものである。
【００３２】
この円錐型包装用容器１０は、図２に示す如く、シート部材からなる扇形のブランク２０から作られる。
【００３３】
すなわち、このブランク２０は、図に示すように、ブランク２０の高さ方向略中央部、つまりブランク２０の扇形の頂点２６と該頂点２６を中心とする円弧の外縁３０との間の略中間部、に対応するブランク２０の一側縁２８に、該ブランク２０が包装用容器として形成されたときに円錐面をなす円錐面形成壁２４を円周方向に引き裂くための引き裂き用タブ１６が設けられている。そして、このブランク２０には、タブ１６の上記頂点２６側の一端３４に接続する第１の引き裂き線１８と、該第１の破断線１８に対して頂点２６の反対側に位置するタブ１６の他端３６、つまり該ブランク２０が包装用容器として形成されたときに該包装用容器のコーン（円錐）の大略平面部３２側に位置するタブ１６の端３６、に接続する第２の引き裂き線２２とが夫々形成されている。なお、この実施形態において、この円錐形の包装用容器１０の大略平面部３２は、後述するように、ブランク２０から形成された半完成包装用容器を３方向から放射状に寄せ合わせてなる不定形部（図１参照）として形成される。
【００３４】
より具体的には、図に示すように、第１の引き裂き線１８は、タブ１６の上記一端３４に連接すると共に、ブランク２０の上記頂点２６を中心とする大略円弧形状にブランク２０の全幅に亘って形成されている。この構成により、ブランク２０から包装用容器１０が作られたときに、第１の引き裂き線１８は、円錐形の包装用容器１０の頂点２６を通る中心軸を中心とする円錐面形成壁２４の円周方向に連続して設けられることになる。
【００３５】
一方、第２の引き裂き線２２は、タブ１６の上記他端３６に連接すると共に、ブランク２０の上記頂点２６を中心とする第１の引き裂き線１８に対して非同心円的な大略円弧形状にブランク２０の幅方向の一部に形成されている。つまり、図２に良く示されるように、この第２の引き裂き線２２は、タブ１６の引き裂き方向（図１の矢印“Ａ”の方向に対応する方向）に対して、第１の引き裂き線１８から隔てられる方向に設けられると共に、ブランク２０から包装用容器１０が作られたときに、この包装用容器１０の内側に収納される円錐型アイスクリーム１００の円錐面上端の近傍下方に終点３８が位置するように形成される。つまり、この第２の引き裂き線２２は、ブランク２０から包装用容器１０が作られたときに、図１に示す如く、この第２の引き裂き線２２の始点となるタブ１６の上記他端３６と、該第２の引き裂き線２２の終点３８とが、互いに異なった位置に設けられる不連続引き裂き線として形成される。
【００３６】
なお、図に示すように、ブランク２０の他側縁４２には、所定位置に、V形ノッチ４０が４つ形成されており、たとえば、タブ１６の引っ張り時に不用意にタブ１６が途中で切断した場合等に、この他側縁４２側の隣接する１対のV形ノッチ４０間の円錐面形成壁２４を、タブ１６の上記引き裂き方向“Ａ”とは逆方向に引っ張ることにより、この包装用容器１０の上半分１４を下半分１２から容易に分離することができるようになっている。
【００３７】
また、上記第１，第２の引き裂き線１８，２２は、夫々、後述の如く、円錐面形成壁２４を該壁２４の厚さ方向に貫通しないハーフカットの切り込みを断続的に形成したものから構成している。この切り込みの幾つかを拡大したものを図4に平面図として示している。
【００３８】
すなわち、各切り込み４４は、図に示すように、引き裂き方向“Ａ”に延在する基線部４６と、該基線部４６の引き裂き始点（つまり、引き裂きが始まる一端）４８に接続すると共に該基線部４６に対して引き裂き方向“Ａ”とは逆方向に鈍角θに傾斜する補助線部５０とからなる。
【００３９】
ところで、図５に示すように、この円錐型包装用容器１０を形成するシート部材６６（２４）は、先ず、円錐面形成壁２４を第１，２の引き裂き線１８，２２に沿って忠実に引き裂くことができるようにするための引き裂き案内樹脂層としてのポリエステル層であって透明なポリエステル層５２と、該ポリエステル層５２の裏刷り層として形成される印刷層５４と、接着層（ドライラミネート層）５６と、耐水紙（レインガード紙）から形成されシート部材６６（２４）の保形性を確保するための紙層５８と、アンカーコート層６０と、第１ポリエチレン層６２とをこの順序で積層したものに該積層体の少なくともポリエステル層５２から紙層５８迄を貫通するように上記切り込み４４を形成し、次いで、包装用容器内部を密封するための密封層としての第２ポリエチレン層６４を第１ポリエチレン層６２の全面にヒートシールすることにより形成される。すなわち、このシート部材６６（２４）に形成される切り込み、従ってこの包装用容器１０を構成する円錐面形成壁２４に形成される切り込み４４は、シート部材６６（２４）の厚さ方向に貫通しないハーフカット線として形成される。
【００４０】
この積層構造において、ポリエステル層５２は、包装用容器１０の外側に位置する層であり、一方、第２ポリエチレン層６４は、包装用容器１０の内側に位置する層である。また、この積層構造において、ポリエステル層５２と、印刷層５４と、接着層５６と、紙層５８とは、このシート部材６６の基層６５を構成する。なお、この第２ポリエチレン層６４は、以下に述べる如くヒートシール層としても機能する。
【００４１】
このような積層構造を有するシート部材６６からなるブランク２０は、以下のようにして、円錐型アイスクリーム１００を内側に収納する円錐型包装用容器１０として形成される。
【００４２】
すなわち、図２は、包装用容器１０の外側に位置するポリエステル層５２が表になっている状態のブランク２０を平面図として示したものである。この状態から、先ず、当該ブランクを、ポリエステル層５２が外側になるように、つまり第２ポリエチレン層６４が内側になるように円錐形状に成形すると共に、ブランク２０の上記一側縁２８側の円錐面形成壁２４の一部と、ブランク２０の上記他側縁４２側の円錐面形成壁２４の一部とを、ブランク２０の上記一側縁２８側の第２ポリエチレン層６４と、ブランク２０の上記他側縁４２側のポリエステル層５２とが互いにオーバーラップするように、重ね合わせる。
【００４３】
次いで、上記重ね合わせた両側縁部２８，４２のうち、タブ１６に対応する部分を除き、ホットメルトを塗布することにより両側縁部をシールして（つまり、上記第２ポリエチレン層６４とポリエステル層５２とをホットメルトにより互いに接着させて）、図３に示す如く円錐型半完成包装容器６８を形成する。なお、上記重ね合わされた両側縁部のヒートシール箇所は、図２，３中、一点鎖線５１で示している。
【００４４】
次いで、この円錐型半完成容器６８の開口部７０側から、つまり半完成容器６８の円錐平面部開口側から、半完成容器６８の内側に円錐型アイスクリーム１００を収納する。
【００４５】
次いで、半完成容器６８の上記開口部７０側をなすブランク２０の一部を３方向から放射状に寄せ合わせ、互いに対向するブランク２０の内面同士、つまり第２ポリエチレン層６４同士を、熱盤によるヒートシールにより相互に接着して、円錐型包装用容器１０を完成する。このステップにおいて、この包装用容器の大略平面部３２側をなすシート部材６６には、円錐型アイスクリーム１００の円錐面の上端を支点として、相当のテンションが作用する。しかし、第２の引き裂き線２２の終点３８は円錐型包装用容器の円錐面形成壁２４側に位置しているため、つまり第２の引き裂き線２２は包装用容器の大略平面部３２側に位置していないため、当該ステップにおいて、第２の引き裂き線２２が不用意に破断する可能性は効果的に減じられる。
【００４６】
さて、このようにして円錐型アイスクリーム１００を内側に収納してなる円錐型包装用容器１０は、以下のようにして開封される。
【００４７】
すなわち、たとえば、一方の手でこの包装用容器１０の下半分１２を保持した状態で、他方の手でタブ１６を容器本体に対して大略横方向、つまり円錐面形成壁２４の円周方向、に引っ張ると、円錐面形成壁２４は、図１に示す如く、第１の引き裂き線１８と第２の引き裂き線２２に夫々沿って夫々同時に引き裂かれてゆく。第２の引き裂き線２２の終点３８はアイスクリーム３４の円錐面上端の近傍下方に設けられており、たとえば、円錐面形成壁２４がこの第２の引き裂き線２２の終点３８を越えてさらに強制的に引き裂かれると、アイスクリーム１００の円錐面上端の一部は外部に露出し始めて、包装用容器１０の上半分１４がアイスクリーム１００の円錐面上端部から解放されるきっかけとなる。そして、この状態から、さらに、円錐面形成壁２４を引き裂いてゆくと、包装用容器１０の上半分１４の第２の引き裂き線２２を含む開口径が円錐型アイスクリーム１００の円錐面上端部の外径よりも大きくなって、包装用容器１０の上半分１４はアイスクリーム１００の円錐面上端部に対して解放された状態になる。また、これと同時に、円錐面形成壁２４は、第１の引き裂き線１８に沿って円周方向に引き裂かれてゆくが、この第１の引き裂き線１８は、円錐形成壁２４を円周沿いに１周するように形成されているので、その引き裂き箇所が円錐面形成壁２４を円周方向に１周したとき、包装用容器１０の上半分１４と下半分１２は、互いに完全に分離される。
【００４８】
従って、本実施形態の円錐型包装用容器においては、引き裂き用タブ１６を包装用容器１０本体に対して大略横円周方向に引っ張るだけで、ワンタッチで、包装用容器１０の上半分１４を下半分１２から取り外すことができる。
【００４９】
また、第１の引き裂き線１８は、タブ１６の一端３４を始点とし容器本体の頂点２６を通る中心軸を中心とする円錐面形成壁２４の大略円周方向に連続して設けられているので、タブ１６を引っ張って円錐面形成壁２４を第１の引き裂き線１８の全周沿いに引き裂くことにより、包装用容器内に収納されている円錐型アイスクリーム１００は、その円錐面全周に亘って均一に露出せしめられる。すなわち、アイスクリーム１００が包装用容器の下半分１２に収納されている状態で包装用容器を一方の手で持ってアイスクリーム１００の上半分１４を食するときに、該包装用容器の下半分１２が邪魔になることはない。
【００５０】
ところで、上記シート部材６６を構成する１形成層であるポリエステル層５２は、上記の如く、シート部材６６、従って円錐面形成壁２４、を第１，２の引き裂き線１８，２２に沿って忠実に引き裂くことができるようにした引き裂き案内樹脂層として設けられている。すなわち、このポリエステル層５２は、シート部材６６が上記第１，２の引き裂き線１８，２２に沿って引き裂かれるときに、シート部材６６を構成するポリエステル層５２以外のすべての層５４，５６，５８，６０，６２，６４を該ポリエステル層５２に従動させる引き裂き案内機能、つまりシート部材６６全体の引き裂きを先導（誘導）する機能を有している。この機能により、たとえば、当該引き裂き時に紙層５８が層内剥離を生じて、該紙層５８の引き裂き方向がランダムになって第１，２の引き裂き線１８，２２の方向から外れかけた場合でも、紙層５８は、ポリエステル層５２に従動して引き裂かれてゆく結果、紙層５８の引き裂き方向は第１，２の引き裂き線１８，２２の方向に補正され、シート部材６６は、全体的に、第１，２の引き裂き線１８，２２に沿って忠実に引き裂かれていく。
【００５１】
また、ブランク２０の上記一側縁２８側の円錐面形成壁２４の一部と、ブランク２０の上記他側縁４２側の円錐面形成壁２４の一部とは、上記の如く、タブ１６に対応する部分を除いて、その一部が互いにヒートシールされている。つまり、タブ１６は、ブランク２０の上記他側縁４２側の円錐面形成壁２４には接着・固定されていないので、たとえば、タブ１６の引っ張り時に無理な力が作用してタブ１６が破れたり切断したりするといった問題は、効果的に解消される。
【００５２】
また、各第１，２の引き裂き線１８，２２は、夫々、前記の如く、図４に示す如く複数個の切り込み４４から形成されている。この構成によれば、たとえば、円錐面形成壁２４の引き裂き方向、つまりシート部材６６の引き裂き方向“Ａ”、に対して、当該引き裂き時に、特定の上記基線部４６の終点７２と次の基線部４６の引き裂き始点４８との間において、該基線部４６の終点７２から進行する裂け目７４の先端７６が次の基線部４６の引き裂き始点４８から外れた場合でも、その裂け目７４の先端７６が上記次の切り込み４４の補助線部５０に達することにより、裂け目７４の進行方向は、補助線部５０によって該補助線部５０に接続する基線部４６の始点４８方向に案内・補正されることになる。従って、この切り込み４４の構成により、円錐面形成壁２４は、第１，２の引き裂き線１８，２２に沿って、より忠実に引き裂かれる。
【００５３】
また、上記の如く、シート部材６６（２４）は、第１，２の引き裂き線１８，２２が形成されている第１ポリエチレン層６２の全面に亘って、第２ポリエチレン層６４がラミネートされている。この構成によって、包装用容器の内部は、外部に対して効果的に密封される。
【００５４】
また、上記の如く、シート部材６６は、アルミ層を含んでいない。従って、たとえば、アイスクリームを包装した後にアイスクリーム内に金属片が混入していないかどうかを探知する食品検査で使用される検査線であってアルミを透過しない検査線でもシート部材６６を透過するので、本実施形態の構成により、検査線の種類選択の自由度を大きくすることができる。
【００５５】
しかし、上記実施形態の変形形態に係るシート部材として、以下に記載する如く、シート部材にアルミ層を含ませたものを用いることは、勿論、可能であり、この場合、アイスクリーム内に金属片が混入していないかどうかを探知する食品検査は、たとえば、アイスクリームを包装する前にアルミを透過しない検査線を含む検査線をアイスクリームに照射したり、或いは、アイスクリームを包装した後にアルミを透過する検査線をアイスクリームに照射したりすることにより行われる。
【００５６】
すなわち、この変形形態に係るシート部材９０は、図６に示す如く、アルミ層８０に印刷層７８を積層したものを、接着層（ウエットラミネート層）８２を間に介して紙層８４に接着し、このようにして形成された積層体に切り込み８８を形成した後、紙層８４の露出面側全面に亘ってにポリエチレン層８６を積層することにより形成される。
【００５７】
この積層構造において、印刷層７８は、包装用容器の外側に位置する層であり、一方、ポリエチレン層８６は、包装用容器の内側に位置する層である。なお、このポリエチレン層８６は、上記実施形態に係るシート部材６６の第１，２のポリエチレン層６２，６４と同様に、ヒートシール層として機能するのみならず、紙層８４の全面に亘ってラミネートされているので、包装用容器の内部を外部に対して密封する機能を有する。
【００５８】
なお、上記実施形態において、第１，２の引き裂き線１８，２２を構成している各切り込み４４，８８は、夫々、基線部４６と補助線部５０とからなる曲線形状の切り込みとして形成しているが、この切り込み４４，８８の形状は、当該曲線形状に限定されるものではなく、たとえば、大略直線形状や、大略円形状や、大略楕円形状や、大略三角形状や、大略四角形状等であっても良い。
【００５９】
また、上記実施形態において、第１，２の引き裂き線１８，２２を構成している切り込み４４は、シート部材６６、従って円錐面形成壁２４、を貫通しないハーフカットとして形成されているが、たとえば、シート部材６６（２４）の１形成層である密封層としての第２ポリエチレン層６４を省略し、第１，２の引き裂き線１８，２２を構成する切り込みを、シート部材６６、従って円錐面形成壁２４、を貫通する貫通穴、つまりミシン目、として形成することも可能である。しかし、容器内のアイスクリームを外部からより確実に密閉する観点から、第２ポリエチレン層６４は、省略しないことが好ましい。
【００６０】
また、上記実施形態において、引き裂き案内樹脂層５２は、ポリエステルから形成されているが、当該ポリエステル層５２に代えて、ポリプロピレンから形成されたポリプロピレン層を用いることもできる。
【００６１】
また、上記実施形態において、第２の引き裂き線２２は、ブランク２０の幅方向（つまり、ブランクの２０の一側縁２８と他側縁４２との幅方向）の一部に形成されているが、この第２の引き裂き線は、該第２の引き裂き線の終点がブランク２０の他側縁４２上に位置するように、ブランク２０の全幅に亘って形成されても良い。この場合、第２の引き裂き線の終点は、ブランク２０に対して、円錐型アイスクリーム１００の円錐面上端の近傍下方に位置するように設けられる。
【００６２】
また、上記実施形態おいて、この円錐型包装用容器の内側に収納されている食品は円錐型アイスクリームであるが、この円錐型包装用容器で包装する食品は円錐型アイスクリームに限定されることはなく、たとえば、チョコレート菓子等の他の食品であっても良いことは言うまでもない。
【図面の簡単な説明】
【図１】  本願発明の１実施形態に係り内側に円錐型アイスクリームが収納されている円錐型包装用容器の斜視図であって、引き裂き用タブが引っ張られて容器の円錐面形成壁が部分的に引き裂かれている状態を示す斜視図である。
【図２】  図１の円錐型包装用容器のブランクを示す平面図である。
【図３】  図２のブランクから形成された半完成包装用容器の斜視図である。
【図４】  図１の円錐型包装用容器の円錐面形成壁に形成されている切り込みの一部を拡大して示す説明図である。
【図５】  図２のブランクのＶ−Ｖ線断面図であり、包装用容器を構成するブランク（シート部材）の積層構造を示す説明図である。
【図６】  図５に示した積層構造の変形形態に係る積層構造を示す図５に類似の説明図である。
【符号の説明】
１０  円錐型包装用容器
１２  容器の下半分
１４  容器の上半分
１６  引き裂き用タブ
１８  第１の引き裂き線
２０  ブランク
２２  第２の引き裂き線
２４  円錐面形成壁
２６  頂点
２８  ブランクの一側縁
３０  ブランクの外縁
３２  大略平面部
３４  タブの一端
３６  タブの他端
３８  第２の引き裂き線の終点
４０  Ｖ形ノッチ
４２  ブランクの他側縁
４４  切り込み
４６  切り込みの基線部
４８  基線部の引き裂き始点
５０  切り込みの補助線部
５２  引き裂き案内樹脂層としてのポリエステル層
５４  印刷層
５６  接着層（ドライラミネート層）
５８  紙層
６０  アンカーコート層
６２  第１ポリエチレン層
６４  密封層としての第２ポリエチレン層
６５  基層
６６  シート部材
６８  半完成容器
７０  開口部
７２  基線部の終点
７４  裂け目
７６  裂け目の先端
７８  印刷層
８０  アルミ層
８２  接着層（ウェットラミネート層）
８４  紙層
８６  ポリエチレン層
８８  切り込み
９０  シート部材
１００  円錐型アイスクリーム
【図１】
0003638238.tif 000002
【図２】
0003638238.tif 000003
【図３】
0003638238.tif 000004
【図４】
0003638238.tif 000005
【図５】
0003638238.tif 000006
【図６】
0003638238.tif 000007